(57)【要約】【課題】アタッチメントとして提供されている従来の培土器を使用することなく、うね立て作業を可能にすると共に、培土板を取り外すことなく、通常の耕耘作業を可能にする。【解決手段】機体から左右外側方に延出する車軸９に、複数の耕耘爪１０を備える車軸耕耘式の歩行型管理機１であって、機体の後部に、圃場に接触して走行抵抗を発生させる抵抗棒１３用の取付部（作業機連結ヒッチ１２）と、機体移動時に機体後部を支える移動尾輪２１用の取付部とを備え、該移動尾輪２１用の取付部を、移動尾輪２１を接地高さに保持する下降姿勢と、移動尾輪２１を非接地高さ保持する上昇姿勢とに回動変姿自在な移動尾輪ブラケット２０で構成すると共に、該移動尾輪ブラケット２０に、うね立て用の培土板２４を設ける。【選択図】図１０
2012016284.tif 000002
【特許請求の範囲】
【請求項１】
機体から左右外側方に延出する車軸に、複数の耕耘爪を備える車軸耕耘式の歩行型管理機であって、
前記機体の後部に、圃場に接触して走行抵抗を発生させる抵抗棒用の取付部と、機体移動時に機体後部を支える移動尾輪用の取付部とを備え、該移動尾輪用の取付部を、移動尾輪を接地高さに保持する下降姿勢と、移動尾輪を非接地高さ保持する上昇姿勢とに回動変姿自在な移動尾輪ブラケットで構成すると共に、該移動尾輪ブラケットに、うね立て用の培土板を設けたことを特徴とする歩行型管理機。
【請求項２】
前記培土板は、移動尾輪ブラケットの回動に伴う抵抗棒との干渉を回避する切欠きを備えることを特徴とする請求項１記載の歩行型管理機。
【請求項３】
前記培土板は、移動尾輪ブラケットを自由回動状態としたとき、耕深に応じて上下回動するリヤカバーとして機能することを特徴とする請求項１又は２記載の歩行型管理機。
【発明の詳細な説明】
【技術分野】
【０００１】
本発明は、耕耘作業やうね立て作業に用いられる車軸耕耘式の歩行型管理機に関する。
【背景技術】
【０００２】
機体から左右外側方に延出する車軸に、複数の耕耘爪を備える車軸耕耘式の歩行型管理機が知られている（例えば、特許文献１参照）。この種の歩行型管理機では、機体の後部に、圃場に接触して走行抵抗を発生させる抵抗棒が取付可能となっており、該抵抗棒が発生させる走行抵抗で走行速度を抑制することにより、所望の耕深が得られるようになっている。また、この種の歩行型管理機では、機体の後部にアタッチメントを装着することにより、通常の耕耘作業以外の作業も行うことが可能となっている。例えば、機体の後部に培土器を取り付ければ、耕耘と同時にうね立てを行うことが可能となる。
【先行技術文献】
【特許文献】
【０００３】
【特許文献１】特開２００９−２０号公報
【発明の概要】
【発明が解決しようとする課題】
【０００４】
しかしながら、アタッチメントとして提供されている従来の培土器は、抵抗棒用の取付部（作業機連結ヒッチ）に取り付けるように構成されているので、作業種別を、通常の耕耘作業からうね立て作業に変更する場合や、うね立て作業から通常の耕耘作業に変更する場合に、抵抗棒と培土器の交換作業が必要となり、作業種別の変更に手間がかかるという問題があった。
【課題を解決するための手段】
【０００５】
本発明は、上記の如き実情に鑑みこれらの課題を解決することを目的として創作されたものであって、機体から左右外側方に延出する車軸に、複数の耕耘爪を備える車軸耕耘式の歩行型管理機であって、前記機体の後部に、圃場に接触して走行抵抗を発生させる抵抗棒用の取付部と、機体移動時に機体後部を支える移動尾輪用の取付部とを備え、該移動尾輪用の取付部を、移動尾輪を接地高さに保持する下降姿勢と、移動尾輪を非接地高さ保持する上昇姿勢とに回動変姿自在な移動尾輪ブラケットで構成すると共に、該移動尾輪ブラケットに、うね立て用の培土板を設けたことを特徴とする。
また、前記培土板は、移動尾輪ブラケットの回動に伴う抵抗棒との干渉を回避する切欠きを備えることを特徴とする。
また、前記培土板は、移動尾輪ブラケットを自由回動状態としたとき、耕深に応じて上下回動するリヤカバーとして機能することを特徴とする。
【発明の効果】
【０００６】
請求項１の発明によれば、下降姿勢と上昇姿勢に回動変姿自在な移動尾輪ブラケットにうね立て用の培土板を設けたので、アタッチメントとして提供されている従来の培土器を使用することなく、うね立て作業を行うことができる。また、移動尾輪ブラケットを上昇させれば、培土板も上昇位置に退避させることができるので、培土板を取り外すことなく、通常の耕耘作業を行うことができる。
また、請求項２の発明によれば、培土板は、移動尾輪ブラケットの回動に伴う抵抗棒との干渉を回避する切欠きを備えるので、培土板と抵抗棒の干渉によって移動尾輪ブラケットの回動が阻害されることもない。
また、請求項３の発明によれば、培土板は、移動尾輪ブラケットを自由回動状態としたとき、耕深に応じて上下回動するリヤカバーとして機能するので、従来のリヤカバーを廃止し、コストダウンを図ることができる。
【図面の簡単な説明】
【０００７】
【図１】移動尾輪ブラケット下降固定状態（尾輪外側装着、培土板非装着）の歩行型管理機を示す側面図である。
【図２】移動尾輪ブラケット下降固定状態（尾輪外側装着、培土板非装着）の歩行型管理機を示す平面図である。
【図３】移動尾輪ブラケット下降固定状態（尾輪外側装着、培土板非装着）の歩行型管理機を示す要部後面図である。
【図４】移動尾輪ブラケット自由回動状態（尾輪外側装着、培土板非装着）の歩行型管理機を示す側面図である。
【図５】移動尾輪ブラケット上昇固定状態（尾輪外側装着、培土板非装着）の歩行型管理機を示す側面図である。
【図６】移動尾輪ブラケット下降固定状態（尾輪内側装着、培土板非装着）の歩行型管理機を示す側面図である。
【図７】移動尾輪ブラケット下降固定状態（尾輪内側装着、培土板非装着）の歩行型管理機を示す平面図である。
【図８】移動尾輪ブラケット下降固定状態（尾輪内側装着、培土板非装着）の歩行型管理機を示す要部後面図である。
【図９】（Ａ）〜（Ｃ）は培土板の例を示す後面図である。
【図１０】移動尾輪ブラケット下降固定状態（尾輪外側装着、培土板非装着）の歩行型管理機を示す側面図である。
【図１１】移動尾輪ブラケット下降固定状態（尾輪外側装着、培土板装着）の歩行型管理機を示す平面図である。
【図１２】移動尾輪ブラケット下降固定状態（尾輪外側装着、培土板装着）の歩行型管理機を示す要部後面図である。
【図１３】移動尾輪ブラケット自由回動状態（尾輪外側装着、培土板装着）の歩行型管理機を示す側面図である。
【図１４】移動尾輪ブラケット上昇固定状態（尾輪外側装着、培土板装着）の歩行型管理機を示す側面図である。
【図１５】移動尾輪ブラケット下降固定状態（尾輪内側装着、培土板装着）の歩行型管理機を示す側面図である。
【図１６】移動尾輪ブラケット下降固定状態（尾輪内側装着、培土板装着）の歩行型管理機を示す平面図である。
【図１７】移動尾輪ブラケット下降固定状態（尾輪内側装着、培土板装着）の歩行型管理機を示す要部後面図である。
【図１８】従来例に係る歩行型管理機の側面図である。
【図１９】従来例に係る歩行型管理機の平面図である。
【発明を実施するための形態】
【０００８】
以下、本発明の実施の形態について、図面に基づいて説明する。まず、図１８及び図１９に示す従来例と共通する部分について、図１〜図３を参照して説明する。図１〜図３において、１は車軸耕耘式の歩行型管理機であって、該歩行型管理機１は、前後方向に沿う機体フレーム２を備え、該機体フレーム２の下側に、前低後高状に傾斜するチェンケース３が配置される一方、機体フレーム２の上側に、動力源であるエンジン４が搭載されている。
【０００９】
エンジン４の左側面部には、エンジン４の動力をチェンケース３に伝達するベルト伝動機構（図示せず）と、これを覆うベルトカバー５が設けられている。また、エンジン４の上部には、ステー６を介して燃料タンク７が設けられると共に、燃料タンク７の周囲を覆うエンジンカバー８が設けられている。
【００１０】
チェンケース３の下部には、エンジン動力で駆動される車軸９が設けられている。車軸９は、チェンケース３の下部から左右に延出しており、その中間部に複数の耕耘爪１０が設けられると共に、左右両端部にそれぞれ車輪１１が設けられている。
【００１１】
本実施形態の車軸９は、チェンケース３に突設される固定車軸と、該固定車軸に着脱自在に設けられて軸長を延長する延長軸とを備えて構成されており、例えば、通常の耕耘作業時には、延長軸を取り付けて耕耘幅を広く確保する一方、中耕作業時には、延長軸を取り外して機体幅を狭くすることができるようになっている。
【００１２】
また、チェンケース３の後端部には、作業機連結ヒッチ１２が一体的に設けられている。この作業機連結ヒッチ１２には、抵抗棒１３などの任意の作業機が装着されるようになっている。
【００１３】
さらに、チェンケース３の上端部には、ハンドルフレーム１４が突設されており、該ハンドルフレーム１４に左右のハンドル１５Ｌ、１５Ｒが設けられている。そして、左側のハンドル１５Ｌには、主クラッチレバー１６が設けられ、右側のハンドル１５Ｒには、スロットルレバー１７が設けられている。
【００１４】
エンジン４の下方には、機体の左右中心部から左右外側方に張り出して車軸９の基部上方を覆うフェンダ１８が設けられている。このフェンダ１８は、主として、耕耘爪１０によって跳ね上げられる泥や石が、耕耘爪１０の上方にあるエンジン４にかかることを防止するために設けたものであって、歩行型管理機１を運転する作業者の足元を保護するためには、車軸９の後方を覆うリヤカバー１９を設ける必要がある。そして、この種のリヤカバー１９は、耕深の変化などに追従するために、上端側を支点として上下回動自在であることが求められる。因みに、従来の歩行型管理機１００では、図１８及び図１９に示すように、作業機連結ヒッチ１２に回動支点部材１９ａを突設し、該固定支点部材１９ａでリヤカバー１９を回動自在に支持している。
【００１５】
次に、本発明の実施形態に係る歩行型管理機１と、従来例に係る歩行型管理機１００との相違点、つまり、本発明の特徴的な構成について、図１〜図１７を参照して説明する。
【００１６】
図１〜図３に示すように、本発明の実施形態に係る歩行型管理機１は、機体移動時に機体後部を支える移動尾輪用の取付部として移動尾輪ブラケット２０を備えている。本実施形態の移動尾輪ブラケット２０は、左右一対の脚部２０ａを有する後面視冂字形状であり、左右脚部２０ａの下端部には、それぞれ、移動尾輪２１を回転自在に装着可能な尾輪装着部２０ｂが設けられている。また、移動尾輪ブラケット２０の上端部は、作業機連結ヒッチ１２に上下回動自在に連結されており、この回動にもとづいて、移動尾輪２１を接地高さに保持する下降姿勢と、移動尾輪２１を非接地高さ保持する上昇姿勢とに変姿することができるようになっている。
【００１７】
移動尾輪ブラケット２０の基端部には、少なくとも上昇位置と下降位置で移動尾輪ブラケット２０の回動をロックする回動ロック手段２２が設けられている。本実施形態の回動ロック手段２２は、移動尾輪ブラケット２０と一体的に回動する左右一対のロックプレート２０ｃと、左右のロックプレート２０ｃを貫通する抜き挿し自在なロックピン２３とを備えて構成されており、ロックピン２３を作業機連結ヒッチ１２の孔１２ａに差し込むと、移動尾輪ブラケット２０が下降位置で回動ロックされ、また、ロックピン２３を作業機連結ヒッチ１２の後端部に当接させると、移動尾輪ブラケット２０が上昇位置で回動ロックされ、さらに、ロックピン２３を抜くと、移動尾輪ブラケット２０が自由回動するようになっている。尚、回動ロック手段２２は、図１〜図５に図示し、他の図では図示を省略する。
【００１８】
移動尾輪ブラケット２０に装着される左右の移動尾輪２１は、作業の種類などに応じて、着脱したり、装着位置を変更することができるようになっている。例えば、図１〜図５は、尾輪装着部２０ｂの外側に移動尾輪２１を装着した状態を示し、図６〜図８は、尾輪装着部２０ｂの内側に移動尾輪２１を装着した状態を示している。
【００１９】
移動尾輪ブラケット２０には、うね立て用の培土板２４を装着可能な培土板装着部２０ｄが設けられている。本実施形態の培土板装着部２０ｄは、左右の脚部２０ａを連結する連結部材２０ｅと、該連結部材２０ｅに突設される複数の装着ピン２０ｆとを備えて構成されており、培土板２４に形成される装着孔２４ａを装着ピン２０ｆに係合させることによって、培土板２４を移動尾輪ブラケット２０に装着することができるようになっている。このようにすると、下降姿勢と上昇姿勢に回動変姿自在な移動尾輪ブラケット２０にうね立て用の培土板２４を装着することができるので、アタッチメントとして提供されている従来の培土器を使用することなく、うね立て作業を行うことができる。また、移動尾輪ブラケット２０を上昇させれば、培土板２４も上昇位置に退避させることができるので、培土板２４を取り外すことなく、通常の耕耘作業を行うことができる。
【００２０】
具体的に説明すると、本実施形態の培土板２４は、図９に示すように、うねの谷部を形成すべく逆三角形状に形成されており、その中央上部には、装着ピン２０ｆに係合可能な二つの装着孔２４ａが形成されている。本実施形態の装着ピン２０ｆは、基部が小径で、頭部が大径な形状を有する一方、培土板２４の装着孔２４ａは、装着ピン２０ｆの頭部よりも大径な大径孔部と、装着ピン２０ｆの基部よりも大径で、かつ、頭部よりも小径な小径孔部とを連続的に有するひょうたん形状となっており、装着孔２４ａの大径孔部を装着ピン２０ｆに差し込んでから、培土板２４を下方にスライドさせることにより、装着孔２４ａの小径孔部が装着ピン２０ｆの頭部に抜止め状に係合されるようになっている。尚、本実施形態では、培土板２４を装着ピン２０ｆに対して係合状態で装着しているが、装着ピン２０ｆにＲピンなどの抜止め部材を装着するようにしてもよい。
【００２１】
また、本実施形態の培土板２４には、抵抗棒１３との干渉を回避するための孔２４ｂ又は切欠き２４ｃが形成されている。つまり、本実施形態の歩行型管理機１では、図１０などに示すように、培土板２４と抵抗棒１３の位置がオーバーラップするので、抵抗棒１３が貫通する孔２４ｂ又は切欠き２４ｃを培土板２４に形成している。
【００２２】
特に、図９の（Ｂ）、（Ｃ）に示すように、培土板２４の下端部まで到達する切欠き２４ｃとした場合には、移動尾輪ブラケット２０の回動に伴う抵抗棒１３との干渉を回避することができるので、培土板２４と抵抗棒１３の干渉によって移動尾輪ブラケット２０の回動が阻害されることがなく、その結果、移動尾輪ブラケット２０の回動操作に際して、培土板２４や抵抗棒１３の着脱を不要とし、作業性の向上が図れる。
【００２３】
また、培土板２４の下端部まで到達する切欠き２４ｃとする場合は、図９の（ｃ）に示すように、切欠き２４ｃを開閉自在に覆うゴム製のカバー２５を設けることが好ましい。このようにすると、切欠き２４ｃからの土の流出を最小限に抑えることができる。
【００２４】
培土板２４の寸法は、任意に設定することが可能であるが、培土板２４の下端が移動尾輪２１の下端よりも上方に位置するように寸法設定を行うことが好ましい。例えば、図１０に示すように、培土板２４の下端と移動尾輪２１の下端との間に寸法Ｇを確保する。このようにすると、移動尾輪２１を使用した機体移動に際し、培土板２４を地面から浮かせることができるので、機体移動が培土板２４によって阻害されることがないだけでなく、培土板２４の損傷も防止することができる。
【００２５】
また、本実施形態の培土板２４（図９の（Ｂ）、（Ｃ）に示す培土板）は、リヤカバーとして機能させることができるようになっている。つまり、培土板２４を装着された移動尾輪ブラケット２０を自由回動状態として耕耘作業を行うと、培土板２４が耕深に応じて上下回動するリヤカバーとして機能することになる。これにより、従来のリヤカバーを廃止し、コストダウンを図ることができる。
【００２６】
叙述の如く構成された本実施形態によれば、機体から左右外側方に延出する車軸９に、複数の耕耘爪１０を備える車軸耕耘式の歩行型管理機１であって、機体の後部に、圃場に接触して走行抵抗を発生させる抵抗棒１３用の取付部（作業機連結ヒッチ１２）と、機体移動時に機体後部を支える移動尾輪２１用の取付部とを備え、該移動尾輪２１用の取付部を、移動尾輪２１を接地高さに保持する下降姿勢と、移動尾輪２１を非接地高さ保持する上昇姿勢とに回動変姿自在な移動尾輪ブラケット２０で構成すると共に、該移動尾輪ブラケット２０に、うね立て用の培土板２４を設けたので、アタッチメントとして提供されている従来の培土器を使用することなく、うね立て作業を行うことができる。また、移動尾輪ブラケット２０を上昇させれば、培土板２４も上昇位置に退避させることができるので、培土板２４を取り外すことなく、通常の耕耘作業を行うことができる。
【００２７】
また、培土板２４は、移動尾輪ブラケット２０の回動に伴う抵抗棒１３との干渉を回避する切欠き２４ｃを備えるので、培土板２４と抵抗棒１３の干渉によって移動尾輪ブラケット２０の回動が阻害されることもない。
【００２８】
また、培土板２４は、移動尾輪ブラケット２０を自由回動状態としたとき、耕深に応じて上下回動するリヤカバーとして機能するので、従来のリヤカバーを廃止し、コストダウンを図ることができる。
【符号の説明】
【００２９】
１      歩行型管理機
９      車軸
１０    耕耘爪
１２    作業機連結ヒッチ
１３    抵抗棒
２０    移動尾輪ブラケット
２０ｂ  尾輪装着部
２０ｄ  培土板装着部
２１    移動尾輪
２４    培土板
【図１】
2012016284.tif 000003
【図２】
2012016284.tif 000004
【図３】
2012016284.tif 000005
【図４】
2012016284.tif 000006
【図５】
2012016284.tif 000007
【図６】
2012016284.tif 000008
【図７】
2012016284.tif 000009
【図８】
2012016284.tif 000010
【図９】
2012016284.tif 000011
【図１０】
2012016284.tif 000012
【図１１】
2012016284.tif 000013
【図１２】
2012016284.tif 000014
【図１３】
2012016284.tif 000015
【図１４】
2012016284.tif 000016
【図１５】
2012016284.tif 000017
【図１６】
2012016284.tif 000018
【図１７】
2012016284.tif 000019
【図１８】
2012016284.tif 000020
【図１９】
2012016284.tif 000021